(57)【特許請求の範囲】
【請求項１】
前面に遊技領域が形成された遊技盤を備え、該遊技領域に遊技球を発射して遊技を行う遊技機において、
前記遊技領域に、遊技球が入賞する入賞装置を備え、
前記入賞装置は、
該入賞装置を前記遊技盤に固定するベース部材と、
遊技球が流入可能な入賞口と、
前記遊技盤と平行かつ水平な第一回動軸を中心として回動し、前記入賞口を開閉する扉部材と、
前記扉部材を駆動するための駆動源と、
前記第一回動軸と平行な第二回動軸を中心として回動し、前記駆動源の駆動力を前記扉部材に伝達するリンク部材を備えるリンク機構と、を備え、
前記駆動源が前記リンク機構を介して前記扉部材を駆動することにより、前記扉部材が前記入賞口を閉鎖して遊技球の流入を不能とする閉状態と、前記扉部材が前記入賞口を開放して遊技球の流入を可能とする開状態と、に変換可能とし、
前記リンク部材に形成した係止部と、前記扉部材に形成した被係止部とからなる係止手段を備え、
該係止手段は、前記閉状態では前記係止部が前記被係止部を係止して前記開状態への変換を不能とし、前記閉状態から前記駆動源により前記リンク部材を動作することにより前記被係止部の係止が解除されて前記開状態への変換が可能となるようにされ、
前記リンク機構に被押圧部を設けるとともに、前記入賞装置に前記被押圧部を押圧する押圧手段を設け、
前記押圧手段は、
前記ベース部材に形成された外筒と、
前記外筒の内側に配され、前記外筒の延在方向に沿って移動可能な内筒と、
から構成され、
前記内筒は、
前記外筒がのぞむ遊技領域側には、挿入穴が開口され、
該挿入穴の反対側には、前記被押圧部と当接可能なリブが形成されており、
前記挿入穴に挿入部材を挿入することによって前記外筒の内側に配された前記内筒を前記被押圧部側へ移動させ、前記内筒を前記被押圧部側へ移動させた状態で前記内筒を回動させることで、前記内筒に備わった前記リブが前記被押圧部を押圧し、前記係止手段による係止を解除できるようにしたことを特徴とする遊技機。
【請求項２】
前記押圧手段は、前記挿入穴に前記挿入部材として所定の鍵を挿入して回動することにより、前記内筒の前記リブが前記被押圧部を押圧するようにした錠を備えることを特徴とする請求項１に記載の遊技機。
【請求項３】
前記遊技盤を保持する前面枠本体と、
該前面枠本体の前面に回動可能に取り付けられ、前記遊技領域を前方から視認可能な状態で覆うクリア部材を備えるクリア部材保持枠と、
前記前面枠本体に対して、前記クリア部材保持枠が前記遊技領域を覆った状態で回動不能となるように施錠する枠施錠装置と、を備え、
前記鍵は、前記枠施錠装置を開錠する鍵であることを特徴とする請求項２に記載の遊技機。
【請求項４】
前記押圧手段は、前記挿入穴に前記挿入部材を挿入して押圧することにより、前記内筒が前記被押圧部を押圧するようにしたことを特徴とする請求項１から３の何れか一項に記載の遊技機。
【発明の詳細な説明】
【技術分野】
【０００１】
本発明は、前面に遊技領域が形成された遊技盤を備え、該遊技領域に遊技球を発射して遊技を行う遊技機に関する。
【背景技術】
【０００２】
遊技機の入賞装置（アタッカ）において、平らなセルロイドを遊技機の隙間に挿入し、入賞装置の扉を不正に開かせ、出玉を獲得するいわゆるセルゴトと呼ばれる不正行為が発生していた。このため入賞装置のソレノイドをカバーにより覆うことにより不正行為を防止する遊技機が提案されている（例えば、特許文献１参照）。
【特許文献１】特開平１１−３１９２２８号公報
【発明の開示】
【発明が解決しようとする課題】
【０００３】
しかしながら上記特許文献１の発明の場合、遊技盤の裏面からの不正には効果があるが、前面から行われる不正においては効果がなかった。
【０００４】
本発明の目的は、前面に遊技領域が形成された遊技盤を備え、該遊技領域に遊技球を発射して遊技を行う遊技機において、不正に入賞装置の扉を開く行為を防止することである。
【課題を解決するための手段】
【０００５】
以上の課題を解決するため、請求項１に記載の発明は、前面に遊技領域が形成された遊技盤を備え、該遊技領域に遊技球を発射して遊技を行う遊技機において、
前記遊技領域に、遊技球が入賞する入賞装置を備え、
前記入賞装置は、
該入賞装置を前記遊技盤に固定するベース部材と、
遊技球が流入可能な入賞口と、
前記遊技盤と平行かつ水平な第一回動軸を中心として回動し、前記入賞口を開閉する扉部材と、
前記扉部材を駆動するための駆動源と、
前記第一回動軸と平行な第二回動軸を中心として回動し、前記駆動源の駆動力を前記扉部材に伝達するリンク部材を備えるリンク機構と、を備え、
前記駆動源が前記リンク機構を介して前記扉部材を駆動することにより、前記扉部材が前記入賞口を閉鎖して遊技球の流入を不能とする閉状態と、前記扉部材が前記入賞口を開放して遊技球の流入を可能とする開状態と、に変換可能とし、
前記リンク部材に形成した係止部と、前記扉部材に形成した被係止部とからなる係止手段を備え、
該係止手段は、前記閉状態では前記係止部が前記被係止部を係止して前記開状態への変換を不能とし、前記閉状態から前記駆動源により前記リンク部材を動作することにより前記被係止部の係止が解除されて前記開状態への変換が可能となるようにされ、
前記リンク機構に被押圧部を設けるとともに、前記入賞装置に前記被押圧部を押圧する押圧手段を設け、
前記押圧手段は、
前記ベース部材に形成された外筒と、
前記外筒の内側に配され、前記外筒の延在方向に沿って移動可能な内筒と、
から構成され、
前記内筒は、
前記外筒がのぞむ遊技領域側には、挿入穴が開口され、
該挿入穴の反対側には、前記被押圧部と当接可能なリブが形成されており、
前記挿入穴に挿入部材を挿入することによって前記外筒の内側に配された前記内筒を前記被押圧部側へ移動させ、前記内筒を前記被押圧部側へ移動させた状態で前記内筒を回動させることで、前記内筒に備わった前記リブが前記被押圧部を押圧し、前記係止手段による係止を解除できるようにしたことを特徴とする。
【０００６】
請求項１に記載の発明によれば、リンク部材に形成した係止部と扉部材に形成した被係止部とからなる係止手段は、閉状態では係止部が被係止部を係止して開状態への変換を不能とするので、扉部材に対して、外部から扉部材を不正に開く方向へ力が加えられても扉部材が開くことがなく、不正行為を防止できる。また、この機能を実現する機構を構成するために、従来の機構から部品点数を増加させる必要がないので、安価に実現可能である。また、押圧手段は、入賞装置を遊技盤に固定するベース部材に形成された外筒と、外筒の内側に配され、外筒の延在方向に沿って移動可能な内筒と、内筒に形成され、遊技領域に開口する挿入穴と、を備え、挿入穴に挿入部材を挿入して操作することにより、内筒が被押圧部を押圧し、係止手段による係止を解除できるようにしたので、不正に扉部材を開放する行為を防止した上でメンテナンスを容易にすることができる。例えば、入賞装置内で球詰まり等が発生し、扉部材を開かなければいけない事態が発生した場合に、挿入部材を挿入することにより係止を解除して扉部材を開くことが可能になるのでメンテナンス性がよくなる。また、遊技領域に開口する挿入穴から不正にセルなどの部材を挿入して押圧手段を操作することは困難であり、不正に扉部材を開放する行為が行われることがない。また、被押圧部を押圧する内筒は外筒により延在方向に沿って案内されるようになるので、確実に操作を行うことができる。
また、内筒（挿入穴）の後端がリブを備えた形状を有しているので、被押圧部と当接し、挿入部材の回動を被押圧部に伝達しやすい。したがって、押圧手段は、挿入穴に挿入部材を挿入し、回動することにより、被押圧部を押圧するので、より確実に扉部材を不正に開放する行為を防止した上でメンテナンスを容易にすることができる。すなわち、遊技領域に開口する挿入穴から不正にセルなどの部材を挿入して押圧手段を操作すること自体困難であるが、さらに回動させるようにしたことで、より確実に不正に扉部材を開放する行為を防止できる。
【０００９】
請求項２に記載の発明は、請求項１に記載の遊技機であって、前記押圧手段は、前記挿入穴に前記挿入部材として所定の鍵を挿入して回動することにより、前記内筒の前記リブが前記被押圧部を押圧するようにした錠を備えることを特徴とする。
【００１０】
請求項２に記載の発明によれば、押圧手段は、挿入穴に挿入部材として所定の鍵を挿入して回動することにより、内筒が被押圧部を押圧するようにした錠を備えるので、より確実に扉部材を不正に開放する行為を防止した上でメンテナンスを容易にすることができる。すなわち、遊技領域に開口する挿入穴から不正にセルなどの部材を挿入しても押圧手段を操作できないので、より確実に不正に扉部材を開放する行為を防止できる。
【００１１】
請求項３に記載の発明は、請求項２に記載の遊技機であって、前記遊技盤を保持する前面枠本体と、
該前面枠本体の前面に回動可能に取り付けられ、前記遊技領域を前方から視認可能な状態で覆うクリア部材を備えるクリア部材保持枠と、
前記前面枠本体に対して、前記クリア部材保持枠が前記遊技領域を覆った状態で回動不能となるように施錠する枠施錠装置と、を備え、
前記鍵は、前記枠施錠装置を開錠する鍵であることを特徴とする。
【００１２】
請求項３に記載の発明によれば、鍵は枠施錠装置を開錠する鍵であるので、遊技領域の前面を覆うクリア部材保持枠を開放できる鍵を持つ者（店員）のみが扉部材を開放できることとなり、確実に扉部材を不正に開放する行為を防止した上でメンテナンスを容易にすることができる。
【００１３】
請求項４に記載の発明は、請求項１から３の何れか一項に記載の遊技機であって、前記押圧手段は、前記挿入穴に前記挿入部材を挿入して押圧することにより、前記内筒が前記被押圧部を押圧するようにしたことを特徴とする。
【００１４】
請求項４に記載の発明によれば、押圧手段は挿入穴に挿入部材を挿入して押圧することにより、内筒が被押圧部を押圧するようにしたので、不正に扉部材を開放する行為を防止した上でメンテナンスを容易にすることができる。また操作が押圧だけで済むので、操作が容易である。
【発明の効果】
【００１５】
本発明によれば、リンク部材に形成した係止部と扉部材に形成した被係止部とからなる係止手段は、閉状態では係止部が被係止部を係止して開状態への変換を不能とするので、扉部材に対して、外部から扉部材を不正に開く方向へ力が加えられても扉部材が開くことがなく、不正行為を防止できる。また、この機能を実現する機構を構成するために、従来の機構から部品点数を増加させる必要がないので、安価に実現可能である。また、押圧手段は、入賞装置を遊技盤に固定するベース部材に形成された外筒と、外筒の内側に配され、外筒の延在方向に沿って移動可能な内筒と、内筒に形成され、遊技領域に開口する挿入穴と、を備え、内筒の後端が被押圧部と当接可能なリブを備えた形状をしていて、挿入穴に挿入部材を挿入して操作することにより、内筒が被押圧部を押圧し、係止手段による係止を解除できるようにしたので、不正に扉部材を開放する行為を防止した上でメンテナンスを容易にすることができる。例えば、入賞装置内で球詰まり等が発生し、扉部材を開かなければいけない事態が発生した場合に、挿入部材を挿入することにより係止を解除して扉部材を開くことが可能になるのでメンテナンス性がよくなる。また、遊技領域に開口する挿入穴から不正にセルなどの部材を挿入して押圧手段を操作することは困難であり、不正に扉部材を開放する行為が行われることがない。また、被押圧部を押圧する内筒は外筒により延在方向に沿って案内されるようになるので、確実に操作を行うことができる。
【発明を実施するための最良の形態】
【００１６】
以下、この発明の実施形態について図面を参照して説明する。
ここでは、本発明にかかる遊技機の適例としてのパチンコ遊技機について説明を行う。
【００１７】
図１に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。
【００１８】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、を有する。
【００１９】
前面枠本体１３０は、矩形枠状の機枠１１０の前面側をちょうど覆うような概略矩形板状に構成されるとともに、その中央から上端部にわたる部分に、遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は前面枠本体１３０に嵌め込まれることで前面枠１２０に取り付けられている。
【００２０】
また、前面枠本体１３０の遊技盤１が嵌め込まれた開口部、すなわち、前面枠本体１３０の中央より少し下側から上端部にわたる部分には、前面枠本体１３０の前側を覆うクリア部材保持枠１４０が配置されており、遊技盤１の前面とクリア部材保持枠１４０に嵌め込まれたクリア部材としてのガラス板との間で、遊技盤１の前面に設けられたガイドレール２に囲まれた部分が、遊技球が発射されて流下する遊技領域１ａとされている。
【００２１】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域１ａの前側を開放可能となっている。クリア部材保持枠１４０には、前面枠本体１３０の開口部をほぼ閉塞するように、該開口部に嵌め込まれた遊技盤１との間に遊技球が流下可能な遊技領域１ａとなる間隔を開けて二重のガラス板が固定されている。そして、クリア部材保持枠１４０において、遊技機１００の前側からガラス板を介して遊技盤１の前面側の少なくとも遊技領域１ａの部分が視認可能となっている。また、クリア部材保持枠１４０の前面であって、ガラス板が固定されて遊技領域１ａを視認可能とする部分の周囲には、内部にＬＥＤを備える枠装飾装置１４１、音声を出力するスピーカ１４５，１４５などが設けられている。
【００２２】
また、前面枠本体１３０に軸着されたクリア部材保持枠１４０の開放端側となる前面側から見て右側の端部の前面には、枠施錠装置１４３が設けられている。この枠施錠装置１４３は、前面枠本体１３０を機枠１１０に対して施錠するとともに、クリア部材保持枠１４０を前面枠本体１３０に対して施錠するものであって、鍵穴１４３ａに鍵を入れて一方（例えば左回り）に回すと前面枠本体１３０の施錠が解除され、他方（例えば右回り）に回すとクリア部材保持枠１４０の施錠が解除されるようになっている。
【００２３】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン（図示略）が設けられている。また、開閉パネル１５１の下側の下部パネル１５２には、上皿１５３に収容しきれない遊技球を収容する下皿１５４及び灰皿１５５と、遊技領域１ａに向けての遊技球の発射操作を行うとともに該遊技領域１ａに遊技球を発射する際の発射勢を調節するための操作ハンドル１５６、音声を出力するスピーカ１５７などが設けられている。
【００２４】
遊技盤１は、各種部材の取付ベースとなる平板状の遊技盤本体１ｂ（木製もしくは合成樹脂製）を備え、該遊技盤本体１ｂの前面に、ガイドレール２で囲まれた遊技領域１ａを有している。また、遊技盤本体１ｂの前面であってガイドレール２の外側には、前面構成部材３，３，…が取り付けられている。そしてこのガイドレール２で囲まれた遊技領域１ａ内に発射装置から遊技球（打球；遊技媒体）を発射して遊技を行うようになっている。
【００２５】
遊技領域１ａ内には、普図始動ゲート４と、普図変動表示ゲームの未処理回数を表示する普図記憶表示器、普図変動表示ゲームを表示する普図表示器が設けられている。また、遊技領域１ａ内には、第１始動入賞口１３（入賞装置）と、第２始動入賞口をなす普通変動入賞装置７（入賞装置）と、補助遊技としての特図変動表示ゲームの未処理回数を点灯表示する特図記憶表示器、特図変動表示ゲームを表示する特図表示器９が設けられている。なお、普図記憶表示器、普図表示器、特図記憶表示器、特図表示器は、遊技状態を表す遊技状態表示ＬＥＤと併せて、セグメントＬＥＤとして一体に設けられており、このセグメントＬＥＤが遊技機１００の状態を表示する状態表示器８をなす。
【００２６】
さらに遊技領域１ａには、上端側が手前側に倒れる方向に回動して開放可能になっているアタッカ形式の扉部材８０を有し、補助遊技としての特図変動表示ゲームの結果如何によって大入賞口６１を閉じた状態（遊技者にとって不利な状態）から開放状態（遊技者にとって有利な状態）に変換する特別変動入賞装置５０、入賞口などに入賞しなかった遊技球を回収するアウト穴１１が設けられている。この他、遊技領域１ａには、一般入賞口１２，１２，…、打球方向変換部材としての風車１４、多数の障害釘（図示略）などが配設されている。
【００２７】
普図始動ゲート４内には、該普図始動ゲート４を通過した遊技球を検出するための普図始動センサが設けられている。そして、遊技領域１ａ内に打ち込まれた遊技球が普図始動ゲート４内を通過すると、普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通変動入賞装置７が開状態に変換されている場合に、普図始動ゲート４を遊技球が通過すると、普図始動記憶数の上限数未満でならば、普図始動記憶数が１加算されて普図始動記憶が１つ記憶されることとなる。なお、普図変動表示ゲームの始動記憶は、普図記憶表示器（状態表示器８）にて表示されるようになっている。
【００２８】
普図（普通図柄）変動表示ゲームは、遊技領域１ａ内に設けられた普図表示器（状態表示器８）で実行されるようになっている。なお、画像表示装置４１の表示部４２の一部で普図変動表示ゲームを表示するようにしても良く、この場合は識別図柄として、例えば、数字、記号、キャラクタ図柄などを用い、これを所定時間変動表示させた後、停止表示させることにより行うようにする。この普図変動表示ゲームの停止表示が特別の結果態様となれば、普図の当りとなって、普通変動入賞装置７の開閉部材７ａ，７ａが所定時間（例えば、０.５秒間）開放される。これにより、普通変動入賞装置７に遊技球が入賞しやすくなり、特図変動表示ゲームの始動が容易となる。
【００２９】
普通変動入賞装置７は左右一対の開閉部材７ａ，７ａを具備し、第１始動入賞口１３の下部に配設され、この開閉部材７ａ，７ａは、常時は遊技球の直径程度の間隔をおいた閉じた状態（遊技者にとって不利な状態）を保持しているが、普図変動表示ゲームの結果が所定の停止表示態様となった場合には、駆動装置としてのソレノイド（普電ＳＯＬ）によって、逆「ハ」の字状に開いて普通変動入賞装置７に遊技球が流入し易い状態（遊技者にとって有利な状態）に変化させられるようになっている。
【００３０】
また、本実施形態の遊技機１００は、特図変動表示ゲームの結果態様に基づき、遊技状態として時短状態を発生可能となっている。この時短状態においては、上述の普図変動表示ゲームの実行時間が上述の長い実行時間よりも短くなるように制御され（例えば、１０秒が１秒）、これにより、単位時間当りの普通変動入賞装置７の開放回数が実質的に多くなるように制御される。また、時短状態においては、普図変動表示ゲームが当り結果となって普通変動入賞装置７が開放される場合に、開放時間が通常状態の短い開放時間より長くされるように制御される（例えば、０．３秒が１．８秒）。また、時短状態においては、普図変動表示ゲームの１回の当り結果に対して、普通変動入賞装置７が１回ではなく、２回以上の複数回（例えば、２回）開放される。さらに、時短状態においては普図変動表示ゲームの当り結果となる確率が通常状態より高くなるように制御される。すなわち、通常状態よりも普通変動入賞装置７の開放回数が増加される。
【００３１】
この普通変動入賞装置７と第１始動入賞口１３は、特図変動表示ゲームの始動入賞口も兼ねている。すなわち、普通変動入賞装置７と第１始動入賞口１３の内部（入賞領域）に備えられた特図始動センサによって遊技球を検出することに基づき、補助遊技としての特図変動表示ゲームを開始する始動権利が発生するようになっている。
【００３２】
この特図変動表示ゲームを開始する始動権利は、所定の上限数（例えば４）の範囲内で始動記憶（特図始動記憶）として記憶される。従って、特図変動表示ゲームが開始可能な状態で、且つ、始動記憶数が０の状態で、普通変動入賞装置７もしくは第１始動入賞口１３に遊技球が入賞すると、始動権利の発生に伴って始動記憶が記憶されて、始動記憶数が１加算されるととともに、直ちに始動記憶に基づいて、特図変動表示ゲームが開始され、この際に始動記憶数が１減算される。
【００３３】
一方、特図変動表示ゲームが直ちに開始できない状態、例えば、既に特図変動表示ゲームが行われ、その特図変動表示ゲームが終了していない状態や、特別遊技状態となっている場合に、普通変動入賞装置７もしくは第１始動入賞口１３に遊技球が入賞すると、始動記憶数が上限数未満ならば、始動記憶数が１加算されて始動記憶が１つ記憶されることになる。そして、始動記憶数が１以上となった状態で、特図変動表示ゲームが開始可能な状態（前回の特図変動表示ゲームの終了もしくは特別遊技状態の終了）となると、始動記憶数が１減算されるとともに、記憶された始動記憶に基づいて特図変動表示ゲームが開始される。なお、特図変動表示ゲームの始動記憶は、特図記憶表示器（状態表示器８）にて表示されるようになっている。
【００３４】
補助遊技としての特図（特別図柄、識別情報）変動表示ゲームは、遊技領域１ａ内に設けられた特図表示器９で実行されるようになっており、複数の識別情報を変動表示したのち、所定の結果態様を停止表示することで行われる。また、画像表示装置４１にて複数種類の識別情報（例えば、数字、記号、キャラクタ図柄など）を変動表示させる特図変動表示ゲームに対応した飾り特図変動表示ゲームが実行されるようになっている。そして、この特図変動表示ゲームの結果として、特図表示器９の表示態様が特別結果態様（たとえば「７」）となった場合には、大当たりとなって特別遊技状態（いわゆる、大当たり状態）となる。また、これに対応して画像表示装置４１の表示態様も特別結果態様（例えば、「７，７，７」等のゾロ目数字の何れか）となる。なお、遊技機１００に特図表示器９を備えずに、画像表示装置４１のみで特図変動表示ゲームを実行するようにしても良い。また、本実施形態の遊技機１００は、特図変動表示ゲームの結果態様に基づき、遊技状態として確変状態を発生可能となっている。この確変状態においては、上述の時短状態に加え、特図変動表示ゲームの当り結果となる確率が通常状態より高くなるように制御される。
【００３５】
また、遊技領域１ａの略中央には、特図変動表示ゲームの表示領域となる窓部２２を形成するセンターケース２０が取り付けられている。このセンターケース２０に形成された窓部２２の後方には、画像表示装置４１が配されるようになっている。この画像表示装置４１は、例えば、液晶ディスプレイを備え、表示内容が変化可能な表示部４２がセンターケース２０の窓部２２を介して遊技盤１の前面側から視認可能となるように配されている。なお、画像表示装置４１は、液晶ディスプレイを備えるものに限らず、ＥＬ、ＣＲＴ等のディスプレイを備えるものであっても良い。
【００３６】
入賞装置としての特別変動入賞装置５０は、上端側が手前側に倒れる方向に回動して開放可能になっているアタッカ形式の扉部材８０によって開閉される大入賞口６１を備えていて、特別遊技状態中は、大入賞口６１を閉じた状態から開いた状態に変換することにより大入賞口６１内への遊技球の流入を容易にさせる。なお、扉部材８０は、例えば、駆動装置としてのソレノイド（大入賞口開閉ＳＯＬ５１）により駆動される。また、大入賞口６１の内部（入賞領域）には、該大入賞口６１に入った遊技球を検出する検出手段としてのカウントセンサ６２が配設されている。
【００３７】
また、遊技領域１ａに設けられた各一般入賞口１２には、一般入賞口１２に入った遊技球を検出するための入賞口センサが配設されている。そして、遊技を開始することにより遊技領域１ａ内に打ち込まれた遊技球が、一般入賞口１２，１２，…、普通変動入賞装置７、第１始動入賞口１３、特別変動入賞装置５０等の入賞口の何れかに入賞すると、それぞれの入賞口に対応した所定数の賞球が排出装置によって排出される（払い出される）ようになっている。
【００３８】
また、遊技機１００は、その制御系として遊技の進行を制御する遊技制御装置、この遊技制御装置の制御下で各種の演出に関する制御を行うサブ制御装置としての演出制御装置を備え、これらの制御装置によって、例えば以下のような制御を行う。
【００３９】
遊技制御装置では、普図始動ゲート４に備えられた普図始動センサからの遊技球の検出信号の入力に基づき、普図の当たり判定用乱数値を抽出して判定値と比較し、普図変動表示ゲームの当たり外れを判定する処理を行う。そして、普図表示器に、識別図柄を所定時間変動表示した後、停止表示する普図変動表示ゲームを表示する処理を行う。この普図変動表示ゲームの結果が当たりの場合は、普図表示器に特別の結果態様を表示するとともに、普電ＳＯＬを動作させ、普通変動入賞装置７の開閉部材７ａ，７ａを所定時間（例えば、０.５秒間）上述のように開放する制御を行う。なお、普図変動表示ゲームの結果がはずれの場合は、普図表示器にはずれの結果態様を表示する制御を行う。
【００４０】
また、普通変動入賞装置７、第１始動入賞口１３に備えられた特図始動センサからの遊技球の検出信号の入力に基づき、特図の大当たり判定用乱数値を抽出して判定値と比較し、特図変動表示ゲームの当たり外れを判定する処理を行う。また、この他に変動パターンの判定を行う処理などを行い、これらの結果を含む制御信号（演出コマンド）を、演出制御装置に出力する。そして、特図表示器９に、識別図柄を所定時間変動表示した後、停止表示する特図変動表示ゲームを表示する処理を行う。また、演出制御装置では、遊技制御装置からの制御信号に基づき、画像表示装置４１で特図変動表示ゲームに対応した飾り特図変動表示ゲームを表示する処理や、スピーカ１４５，１５７からの音の出力、枠装飾装置１４１としての装飾ランプＬＥＤを制御する処理を行う。
【００４１】
そして、遊技制御装置は、特図変動表示ゲームの結果が当たりの場合は、特図表示器９に特別の結果態様を表示するとともに、特別遊技状態を発生させる処理を行う。この特別遊技状態を発生させる処理においては、例えば、大入賞口開閉ＳＯＬ５１により特別変動入賞装置５０の扉部材８０を開放し、大入賞口６１内への遊技球の流入を可能とする制御を行う。そして、大入賞口６１に所定個数（例えば１０個）の遊技球が入賞するか、大入賞口６１の開放から所定時間（例えば２５秒または１秒）が経過するかの何れかの条件が達成されるまで大入賞口６１を開放することを１ラウンドとし、これを所定ラウンド回数（例えば１５回または２回）継続する（繰り返す）制御（サイクル遊技）を行う。なお、特図変動表示ゲームの結果がはずれの場合は、特図表示器９にはずれの結果態様を表示する制御を行う。
【００４２】
また、遊技制御装置は、各種入賞口に設けられたセンサ（特図始動センサ、カウントセンサ６２、入賞口センサ）から入力される遊技球の検出信号に基づき、排出発射制御装置に制御信号を出力し、排出装置を制御して所定数の遊技球が払い出されるようにする。
【００４３】
次に、特別変動入賞装置５０の構成について説明する。上述したように、特別変動入賞装置５０は、通常は大入賞口６１を閉鎖して遊技球が流入できない閉状態とされ、特別遊技状態で大入賞口６１を開放して遊技球が流入可能な開状態に変換されて、遊技者に所定の遊技価値（多量の賞球としての遊技球）の付与を可能とするものである。図２，３に示すように、この特別変動入賞装置５０は、各種部材が取り付けられる本体部６０と、該本体部６０の前面に取り付けられ、特別変動入賞装置５０を遊技盤本体１ｂに取り付けるためのベース部材７０と、大入賞口６１を開閉するための扉部材８０と、該扉部材８０を動作するための大入賞口開閉ＳＯＬ５１、リンク機構９０を備える。
【００４４】
本体部６０の前部には、所定の奥行きを有し、前方に開口する空間が形成されており、この空間が、遊技球が流入する大入賞口６１となる。この大入賞口６１の底面は、後方（奥側）へ向かって下るように傾斜するとともに、前面側から見て左側へ下るように傾斜しており、入賞した遊技球は左後部へ流下誘導されるようになっている。そして、傾斜下流側となる大入賞口６１の底面における左後部には、大入賞口６１に入賞した遊技球を外部へ排出する排出流路が形成され、この排出流路に通過する遊技球を検出するカウントセンサ６２が設けられている。すなわち、カウントセンサ６２により大入賞口６１に入賞した遊技球のすべてが検出されるようになっている。カウントセンサ６２は遊技球を検出することに基づき、遊技制御装置に検出信号を出力するようになっており、遊技制御装置ではこの検出信号に基づき、大入賞口６１に入賞した遊技球を計数するとともに所定数の賞球を排出させる処理を行う。
【００４５】
また、本体部６０における大入賞口６１の後方にはＬＥＤやレンズ部材が配されており、大入賞口６１の内部を照らすことで光による装飾を行うようになっている。また本体部６０の後部には、本体部６０に設けられるカウントセンサ６２、ＬＥＤ、大入賞口開閉ＳＯＬ５１と、各種制御装置との接続を中継する中継基板が備えられている。
【００４６】
本体部６０の前面には、板状のベース部材７０が取り付けられている。このベース部材７０は正面から見て本体部６０の前面よりも大きい面積を有しており、本体部６０の前面を覆うように取り付けることで、ベース部材７０の周縁が本体部６０の周縁よりも外側へ延出した状態となる。特別変動入賞装置５０は、遊技盤本体１ｂに形成された前後に貫通する取付孔に、遊技盤本体１ｂの前面側から挿入するように取り付けられるが、取付孔は本体部６０が通過できる大きさであるとともに、ベース部材７０が通過できない大きさに形成されている。よって、取付孔に遊技盤本体１ｂの前面側から挿入することでベース部材７０の裏面が遊技盤本体１ｂの前面に当接し、遊技盤本体１ｂに対する特別変動入賞装置５０の前後位置が決定される。さらに、ベース部材７０にはねじ孔７０ａが形成されており、ねじにより特別変動入賞装置５０を遊技盤本体１ｂに固定できるようになっている。また、ベース部材７０の前面は遊技領域１ａに露出して、遊技者から視認可能となる部分であり、この前面には装飾が施されているとともに、装飾部材７１が取り付けられている。
【００４７】
ベース部材７０の中央部には、大入賞口６１が形成された位置に対応して矩形状の貫通孔７２が形成されており、遊技領域１ａに大入賞口６１が開口するようになっている。また、このベース部材７０の裏面側であって貫通孔７２の左右における下部には、扉部材８０の第一回動軸８２を回動可能に軸支する扉部材支持部７３が形成され、この扉部材支持部７３により扉部材８０が貫通孔７２（大入賞口６１）を開閉できるように取り付けられる。また、ベース部材７０の裏面であって、裏面側から見て貫通孔７２の左側には、後方へ延出する筒状の外筒７４が形成されている。この外筒７４の内側には、外筒７４の内径と略等しい外径を有する円筒形の内筒７５が、外筒７４の延在方向（前後方向）に沿って移動可能、かつ、外筒７４の延在方向に沿った軸を中心として回転可能に配されている。この外筒７４、内筒７５により後述するように押圧手段７７が形成される。
【００４８】
ベース部材７０に支持される扉部材８０は、ベース部材７０の貫通孔７２と略同じ大きさを有する矩形板状の扉部８１と、該扉部８１の両側端に設けられた第一回動軸８２と、扉部８１の前面側から見た右端部に形成されたリンク部８３とを備える。第一回動軸８２は、扉部８１の前面を垂直にした状態での両側端における下端をなす部分に、扉部８１の左右方向に沿って外側へ延出するように設けられている。そして、扉部材８０は、ベース部材７０の裏面側であって貫通孔７２の左右における下部に形成された扉部材支持部７３により、第一回動軸８２が遊技盤本体１ｂと平行かつ水平な状態で回動可能に支持されるようになっている。このように軸支された扉部材８０の回動範囲は、扉部８１の前面が略垂直となってベース部材７０と略平行となり貫通孔７２を閉鎖する位置と、この状態から上端が前方に傾倒して扉部８１の前面が略水平となり貫通孔７２を開放する位置との間とされている。これにより、特別変動入賞装置５０は、大入賞口６１を閉鎖して遊技球の流入を不能とする閉状態と、大入賞口６１を開放して遊技球の流入を可能とする開状態とに変換可能となる。
【００４９】
また、図４に示すように、扉部８１の前面側から見た右端部に形成されたリンク部８３は、駆動源をなす大入賞口開閉ＳＯＬ５１からリンク機構９０を介して伝達される駆動力を受ける受動部（第一受動面８４ａ、第二受動面８５ａ、第三受動面８５ｂ）と、リンク機構９０の第二リンク部材９２に形成された係止部９９により係止される係止手段５３の一部をなす被係止部８７とを備える。このリンク部８３は、扉部８１の側端から裏面側へ延出する板状の側壁部８４と、扉部８１の側端から裏面側へ延出するリブ状の後方延出部８５と、該後方延出部８５の側方へ突出する側方突出部８６とを備える。
【００５０】
側壁部８４は所定の厚みを有し、扉部８１の前面を垂直にした状態での後端面の下半部が後方に向かって上るように傾斜している。この後端面の下半部が第一受動面８４ａとして受動部の一部をなす。後方延出部８５は、扉部８１の前面を垂直にした状態で、側壁部８４の下方の位置から後方へ向かって下るように形成されたリブ状の部分である。この後方延出部８５における上側の面は第二受動面８５ａとして受動部の一部をなし、下側の面は第三受動面８５ｂとして受動部の一部をなす。後方延出部８５の側方へ突出する側方突出部８６は、扉部８１の前面を垂直にした状態で、後方延出部８５の下方に延出している。また、後方延出部８５の下端部には、後方延出部８５の下側の面である第三受動面８５ｂと所定の距離をおいて上下に重なるように被係止部８７が突設されている。第三受動面８５ｂと被係止部８７との間の距離は、扉動作部９５の第二延出部９７に形成された係止部９９が第三受動面８５ｂと被係止部８７との間を通過可能な距離であって、後述するようにこの第三受動面８５ｂと被係止部８７との間が間隙部８８をなす。
【００５１】
リンク機構９０は、駆動源をなす大入賞口開閉ＳＯＬ５１のプランジャ５１ａに取り付けられた第一リンク部材９１と、該第一リンク部材９１と接続するとともに扉部材８０の受動部に当接する第二リンク部材９２とを備える。駆動源をなす大入賞口開閉ＳＯＬ５１は、プランジャ５１ａが前方に延出し、前後方向に沿って動作するような向きで本体部６０における前面側から見た右後部に取り付けられている。この大入賞口開閉ＳＯＬ５１のプランジャ５１ａの先端（前端）に、第一リンク部材９１が取り付けられている。
【００５２】
第一リンク部材９１は、図３に示すように、プランジャ５１ａとの接続部と対向する端部に、プランジャ５１ａの延在方向と直交する方向に貫通する連結孔９１ｂを備える連結部９１ａが形成され、連結孔９１ｂが貫通する方向の一側部には側方へ延出するように板状の被押圧部９１ｃが形成されている。この第一リンク部材９１は、連結部９１ａが前側に位置するとともに、連結孔９１ｂが左右方向に沿って貫通し、かつ、被押圧部９１ｃが前方から見て右側へ延出するような向きでプランジャ５１ａに取り付けられる。そして、本体部６０によって案内されて、プランジャ５１ａの前後移動に伴って前後にスライド移動するようになっている。また、被押圧部９１ｃは、本体部６０の右側面に形成された開口部６３から本体部６０の外側に露出するように配され、この被押圧部９１ｃの前方には押圧手段７７が位置するようになっている。このように本体部６０に配された第一リンク部材９１の前方には、第二リンク部材９２が配されている。
【００５３】
第二リンク部材９２は、本体部６０に軸支される第二回動軸９３と、第一リンク部材９１と連結するための連結軸９４と、扉部材８０を動作させるための扉動作部９５とを備える。この第二リンク部材９２は、第二回動軸９３が左右方向に沿うように、本体部６０に形成された軸受部によって回動可能に支持されている。
【００５４】
連結軸９４は、第二回動軸９３と延在方向が平行となるように形成された円柱状の軸部であり、第二回動軸９３が本体部６０により軸支された状態では、第二回動軸９３の上方に位置するようになっている。この連結軸９４は、第一リンク部材９１の連結孔９１ｂに挿入されるようになっており、これにより第一リンク部材９１と第二リンク部材９２が接続するようになっている。そして、大入賞口開閉ＳＯＬ５１のプランジャ５１ａを前後に動作することで、第一リンク部材９１を介して連結軸９４が前後に動作され、第二リンク部材９２が第二回動軸９３を中心に回動するようになっている。なお、連結孔９１ｂは上下に長い長孔とされ、前後方向に動作する第一リンク部材９１の連結孔９１ｂ内で、第二回動軸９３を中心に回動する第二リンク部材９２の連結軸９４が上下に移動できるようにされている。
【００５５】
扉動作部９５は、第一延出部９６と第二延出部９７とが空間部９８を挟んで対向するように形成された略Ｃ字型をしており、第二回動軸９３が本体部６０に軸支された状態では、上から、第一延出部９６、空間部９８、第二延出部９７の順に並んで、第二回動軸９３の前方に位置するようになっている。そして、大入賞口開閉ＳＯＬ５１により、第二リンク部材９２が第二回動軸９３を中心に回動するように駆動されることで、第二回動軸９３の前方に位置する扉動作部９５が上下に動作するようになっている。また、第一延出部９６の先端は、扉部材８０の受動部（第一受動面８４ａ、第二受動面８５ａ、第三受動面８５ｂ）に当接して扉部材８０を動作させる第一当接部９６ａをなし、第二延出部９７の先端は、扉部材８０の受動部に当接して扉部材８０を動作させる第二当接部９７ａをなす。これらの第一当接部９６ａ、第二当接部９７ａは、受動部と滑らかに接することができるように周面が曲面とされている。さらに、第二延出部９７の側方には、扉部材８０に形成された被係止部８７を係止する係止手段５３の一部をなす係止部９９が突設されている。このように、係止手段５３を第二リンク部材９２に形成した係止部９９と、扉部材８０に形成した被係止部８７とから構成することで、係止手段５３を構成するために従来の機構から部品点数を増加させる必要がないので安価に実現可能となる。
【００５６】
以上のような構成を有する特別変動入賞装置５０は、図４に示すように、扉部材８０が大入賞口６１を閉鎖した閉状態では、大入賞口開閉ＳＯＬ５１のプランジャ５１ａが最も前方に伸張した状態となっていて、第一リンク部材９１が前後の移動範囲における前端に位置している。そして、第一リンク部材９１に連結した第二リンク部材９２は、右側の側面から見て、所定の回動範囲において最も反時計回り方向に回動した状態となり、扉動作部９５が移動範囲における最も下側の位置にある状態となる。この状態では、扉動作部９５の第一延出部９６は、扉部材８０のリンク部８３に形成された第一受動面８４ａと第二受動面８５ａの間に位置している。また、扉動作部９５の第二延出部９７に形成された係止部９９は、前側の面が扉部材８０のリンク部８３をなす側方突出部８６に形成された被係止部８７の後側の面に当接して係止し、被係止部８７の後方への移動を規制するようになっている。これにより、扉部材８０が、右側の側面から見て反時計回り方向へ回動すること、すなわち、特別変動入賞装置５０が開状態となる方向へ回動することを規制するようになっている。よって、例えば、外部から扉部材８０に対して、開状態へ変換する方向に力が加えられても扉部材８０が開くことがなく、不正行為を防止できるようになっている。
【００５７】
図４に示す状態から、駆動源をなす大入賞口開閉ＳＯＬ５１を動作してプランジャ５１ａを退縮させることで、特別変動入賞装置５０を開状態に変換できるようになっている。図４に示す状態から大入賞口開閉ＳＯＬ５１を動作してプランジャ５１ａを退縮させると、図５に示すように、第一リンク部材９１が後方へ移動し、第一リンク部材９１に連結した第二リンク部材９２は、右側の側面から見て、時計回り方向に回動して扉動作部９５が上方へ回動する。そして、扉動作部９５の第一延出部９６の第一当接部９６ａが、扉部材８０のリンク部８３に形成された第一受動面８４ａに当接する。また、扉動作部９５の第二延出部９７に形成された係止部９９は、扉部材８０のリンク部８３をなす側方突出部８６に形成された被係止部８７と前後に重ならない位置に移動し、被係止部８７の後方への移動の規制が解除される。また、第二延出部９７の第二当接部９７ａが第三受動面８５ｂに当接する。
【００５８】
図５に示す状態から、さらに大入賞口開閉ＳＯＬ５１を動作してプランジャ５１ａを退縮させると、図６に示すように、扉動作部９５の第一延出部９６の第一当接部９６ａ、第二延出部９７の第二当接部９７ａが、扉部材８０のリンク部８３に形成された第一受動面８４ａ、第三受動面８５ｂを上方へ押し上げる。これに伴い、扉部材８０は右側の側面から見て反時計回り方向へ回動する。また、扉動作部９５の第二延出部９７に形成された係止部９９は、被係止部８７と第三受動面８５ｂとの間の間隙部８８に入るようになる。
【００５９】
図６に示す状態から、さらに大入賞口開閉ＳＯＬ５１を動作してプランジャ５１ａを退縮させると、図７に示すように、扉動作部９５の第一延出部９６の第一当接部９６ａが扉部材８０のリンク部８３に形成された第一受動面８４ａから離れる。そして、扉動作部９５の第二延出部９７の第二当接部９７ａのみが扉部材８０のリンク部８３に形成された第三受動面８５ｂを上方へ押し上げるようになる。これに伴い、扉部材８０は右側の側面から見てさらに反時計回り方向へ回動する。このとき、扉部材８０の大部分の重量を占める扉部８１が、第一回動軸８２よりも前方に位置する状態となっており、これ以降、扉部材８０は自重により上端が前方へ倒れるように回動するようになる。
【００６０】
図７に示す状態から、さらに大入賞口開閉ＳＯＬ５１を動作してプランジャ５１ａを退縮させると、図８に示すように、扉部材８０が前方へ倒れて大入賞口６１が開放された開状態となる。この状態では、大入賞口開閉ＳＯＬ５１のプランジャ５１ａが最も後方に退縮した状態となっていて、第一リンク部材９１が前後の移動範囲における後端に位置している。そして、第一リンク部材９１に連結した第二リンク部材９２は、右側の側面から見て、所定の回動範囲において最も時計回り方向に回動した状態となり、扉動作部９５が移動範囲における最も上側の位置にある状態となる。
【００６１】
また、大入賞口６１を閉鎖する場合には、図８に示す状態から大入賞口開閉ＳＯＬ５１を動作してプランジャ５１ａを伸張させるようにする。これにより、第一リンク部材９１が前方へ移動し、第一リンク部材９１に連結した第二リンク部材９２は、右側の側面から見て反時計回り方向に回動する。このとき、まず扉動作部９５の第一延出部９６の第一当接部９６ａが扉部材８０のリンク部８３に形成された第二受動面８５ａに当接し、下方へ押し下げるようになり、これに伴い扉部材８０は、右側の側面から見て時計回り方向に回動する。さらに、プランジャ５１ａを退縮させると係止部９９の後端と被係止部８７の前端が接触する。係止部９９の後端および被係止部８７の前端は曲面とされ、係止部９９を間隙部８８へ誘導するようになっており、これによりさらに扉部材８０は右側の側面から見て時計回り方向に回動する。その後、プランジャ５１ａが最も前方に伸張した状態となると、図４に示すように、扉部材８０が大入賞口６１を閉鎖した閉状態となる。また、扉動作部９５の第二延出部９７に形成された係止部９９が、扉部材８０のリンク部８３をなす側方突出部８６に形成された被係止部８７を係止し、被係止部８７の後方への移動を規制する状態となる。
【００６２】
次に、押圧手段７７について説明する。上述したように、扉部材８０は係止手段５３により係止されて閉状態を維持するようになっているが、例えば、特別変動入賞装置５０内で球詰まり等の不具合が発生し、扉部材を開かなければいけない事態が発生した場合に、係止手段５３による係止を解除する手段として押圧手段７７が設けられている。図２，３、図９から１２に示すように、この押圧手段７７はベース部材７０に形成された外筒７４と、該外筒７４の内側に配された内筒７５と、該内筒７５を所定の方向へ付勢する付勢部材（図示略）とを備える。
【００６３】
外筒７４は、ベース部材７０の裏面から後方へ延出するように形成された筒状の部分で、前端はベース部材７０の前方に開口している。また、ベース部材７０の前面における外筒７４の開口の周縁には、挿入部材５２を押し込んだ状態で回動できるように、回動範囲となる部分に凹部７６が形成されている。この外筒７４の内側に配される内筒７５は、外筒７４の内径と略等しい外径を有する円筒形をしており、外筒７４の延在方向（前後方向）に沿って移動可能、かつ、外筒７４の延在方向に沿った軸を中心として回転可能に配されている。この内筒７５には、前端から延在方向に沿って挿入穴７５ａが形成されており、この挿入穴７５ａに挿入した挿入部材５２により押圧手段を操作するようになっている。
【００６４】
また、内筒７５は図示しない付勢部材により前方へ向けて付勢されており、外部から力が加わっていない状態では前後の移動範囲における前端の位置に配される。さらに、内筒７５は外筒７４に対して、初期位置と、該初期位置に対して前方から見て時計回り方向に９０度回転した押圧位置との間で回動可能とされている。また、内筒７５は図示しない付勢部材により、初期位置に向かう方向へ付勢されており、外部から力が加わっていない状態では初期位置に配されるようになっている。このように外筒７４の内部に配された内筒７５を備えることで、内筒７５が外筒７４により延在方向に沿って案内されるようになるので、確実に操作を行うことができる。
【００６５】
また、図１２に示すように、内筒７５の後端には、外周に沿って押圧リブ７５ｂが形成されている。この押圧リブ７５ｂは、内筒７５が初期位置にある状態で、裏面側から見て最も右側に位置する部分から、時計回り方向へ向かって最も下側に位置する部分にかけて形成されている。また、時計回り方向へ向かって後方への延出幅が大きくなるように形成されている。換言すれば、内筒７５が初期位置にある状態で、裏面側から見て中心から右方向へ水平に延出する径と交差する位置から、中心から垂直に下方へ延出する径と交差する位置にかけて、時計回り方向へ向かって後方への延出幅が大きくなるように形成されている。
【００６６】
このように構成される押圧手段７７を操作する際には、まず、ベース部材７０の前面の開口から内筒７５の挿入穴７５ａに挿入部材５２を挿入する。図９に示すように、挿入穴７５ａに挿入部材５２を挿入しただけの状態では、内筒７５が前後の移動範囲における前端の位置にあるとともに、所定の回動範囲における初期位置にある状態のままとなる。そして、図９に示す状態から、挿入部材５２を後方へ向けて押圧すると、図１０に示すように内筒７５が付勢部材の付勢力に抗して前後の移動範囲における後端の位置に移動する。この位置では、内筒７５の後端が第一リンク部材９１の被押圧部９１ｃの前面に近接した位置に配されることとなる。
【００６７】
さらに、図１０に示す状態から、挿入部材５２を前方から見て時計回り方向に回動すると、押圧リブ７５ｂが被押圧部９１ｃの前面に当接するとともに、押圧リブ７５ｂの後方への延出幅の増加につれて被押圧部９１ｃが後方へ向かって押圧される。そして、初期位置から９０度回動することで、図１１に示すように、第一リンク部材９１が後方へ移動し、第一リンク部材９１に連結した第二リンク部材９２は、右側の側面から見て、時計回り方向に回動して扉動作部９５が上方へ回動する。これにより、扉動作部９５の第二延出部９７に形成された係止部９９が、扉部材８０のリンク部８３をなす側方突出部８６に形成された被係止部８７と前後に重ならない位置に移動し、被係止部８７の後方への移動の規制が解除される。
【００６８】
このように係止を解除した状態では、扉部材８０を手で開くことが可能となり、特別変動入賞装置５０内で発生した不具合等を解消することができる。よって、不正に扉部材８０を開放する行為を防止した上でメンテナンスを容易にすることができる。また、このような押圧手段７７により係止を解除できるようにしても、遊技領域１ａに開口する挿入穴７５ａから不正にセルなどの部材を挿入して押圧手段７７を操作することは困難であり、不正に扉部材８０を開放する行為が行われることがない。また、押圧手段７７は、挿入穴７５ａに挿入部材５２を挿入し、回動することにより、内筒７５が被押圧部７１ｃを押圧するようにしたので、遊技領域１ａに開口する挿入穴７５ａから不正にセルなどの部材を挿入して押圧手段７７を操作すること自体困難であるが、さらに回動させるようにしたことで、より確実に不正に扉部材８０を開放する行為を防止できる。
【００６９】
なお、特別変動入賞装置５０の構成は上述の構成に限られるものではない。また、入賞装置として特別変動入賞装置５０を示したが、他の変動入賞装置（普通変動入賞装置７など）に本発明を適用しても良い。
【００７０】
以上のことから、前面に遊技領域１ａが形成された遊技盤１を備え、該遊技領域１ａに遊技球を発射して遊技を行う遊技機１００において、遊技領域１ａに、遊技球が入賞する入賞装置（特別変動入賞装置５０）を備え、入賞装置は、該入賞装置を遊技盤１に固定するベース部材７０と、遊技球が流入可能な入賞口（大入賞口６１）と、遊技盤１と平行かつ水平な第一回動軸８２を中心として回動し、入賞口を開閉する扉部材８０と、扉部材８０を駆動するための駆動源（大入賞口開閉ＳＯＬ５１）と、第一回動軸８２と平行な第二回動軸９３を中心として回動し、駆動源の駆動力を扉部材８０に伝達するリンク部材（第二リンク部材９２）を備えるリンク機構９０と、を備え、駆動源がリンク機構９０を介して扉部材８０を駆動することにより、扉部材８０が入賞口を閉鎖して遊技球の流入を不能とする閉状態と、扉部材８０が入賞口を開放して遊技球の流入を可能とする開状態と、に変換可能とし、リンク部材９０に形成した係止部９９と、扉部材８０に形成した被係止部８７とからなる係止手段５３を備え、該係止手段５３は、閉状態では係止部９９が被係止部８７を係止して開状態への変換を不能とし、閉状態から駆動源によりリンク部材を動作することにより被係止部８７の係止が解除されて開状態への変換が可能となるようにされ、リンク機構９０に被押圧部９１ｃを設けるとともに、入賞装置に被押圧部９１ｃを押圧する押圧手段７７を設け、押圧手段７７は、ベース部材７０に形成された外筒７４と、外筒７４の内側に配され、外筒７４の延在方向に沿って移動可能な内筒７５と、内筒７５に形成され、遊技領域１ａに開口する挿入穴７５ａと、を備え、挿入穴７５ａに挿入部材５２を挿入して操作することにより、内筒７５が被押圧部９１ｃを押圧し、係止手段５３による係止を解除できるようにしたこととなる。
【００７１】
また、押圧手段７７は、挿入穴７５ａに挿入部材５２を挿入し、回動することにより、内筒７５が被押圧部７１ｃを押圧するようにしたこととなる。
【００７２】
なお、上述した実施形態の遊技機の変形例として、押圧手段７７が錠を備える構成とし、挿入部材５２として所定の鍵を用いた場合のみ押圧手段７７を操作できるようにしても良い。このようにすれば、より確実に扉部材８０を不正に開放する行為を防止した上でメンテナンスを容易にすることができる。すなわち、遊技領域１ａに開口する挿入穴７５ａから不正にセルなどの部材を挿入しても押圧手段７７を操作できないので、より確実に不正に扉部材８０を開放する行為を防止できることとなる。
【００７３】
以上のことから、押圧手段７７は、挿入穴７５ａに挿入部材５２として所定の鍵を挿入して回動することにより、内筒７５が被押圧部９１ｃを押圧するようにした錠を備えていることとなる。
【００７４】
また、上記変形例に加えて、押圧手段７７に設けた錠を枠施錠装置１４３の錠と同じものとし、枠施錠装置１４３の鍵を用いて押圧手段７７を操作できるようにしても良い。このようにすれば、遊技領域１ａの前面を覆うクリア部材保持枠１４０を開放できる鍵を持つ者（店員）のみが扉部材８０を開放できることとなり、確実に扉部材８０を不正に開放する行為を防止した上でメンテナンスを容易にすることができる。
【００７５】
以上のことから、遊技盤１を保持する前面枠本体１３０と、該前面枠本体１３０の前面に回動可能に取り付けられ、遊技領域１ａを前方から視認可能な状態で覆うクリア部材を備えるクリア部材保持枠１４０と、前面枠本体１３０に対して、クリア部材保持枠１４０が遊技領域１ａを覆った状態で回動不能となるように施錠する枠施錠装置１４３と、を備え、鍵は、枠施錠装置１４３を開錠する鍵としたこととなる。
【００７６】
また、押圧手段７７は、挿入部材５２を挿入した状態で押圧するとともに回動することで操作できるような構成としたが、単に押圧するのみで操作できるようにしても良い。例えば、図１３に示すように、内筒７５の後端に形成される押圧リブ７５ｂの形状を、一定の延出幅とするとともに、前面側から見て左側の半周にわたって設けるようにする。このようにすれば、挿入穴７５ａに挿入部材５２を挿入して押圧するだけで被押圧部９１ｃが後方へ押圧されるようになり、操作が容易となる。
【００７７】
以上のことから、押圧手段７７は、挿入穴７５ａに挿入部材５２を挿入して押圧することにより、内筒７５が被押圧部９１ｃを押圧するようにしたこととなる。
【００７８】
以上のような遊技機１００は、前面に遊技領域１ａが形成された遊技盤１を備え、該遊技領域１ａに遊技球を発射して遊技を行う遊技機１００であって、遊技領域１ａに、遊技球が入賞する入賞装置（特別変動入賞装置５０）を備え、入賞装置は、該入賞装置を遊技盤１に固定するベース部材７０と、遊技球が流入可能な入賞口（大入賞口６１）と、遊技盤１と平行かつ水平な第一回動軸８２を中心として回動し、入賞口を開閉する扉部材８０と、扉部材８０を駆動するための駆動源（大入賞口開閉ＳＯＬ５１）と、第一回動軸８２と平行な第二回動軸９３を中心として回動し、駆動源の駆動力を扉部材８０に伝達するリンク部材（第二リンク部材９２）を備えるリンク機構９０と、を備え、駆動源がリンク機構９０を介して扉部材８０を駆動することにより、扉部材８０が入賞口を閉鎖して遊技球の流入を不能とする閉状態と、扉部材８０が入賞口を開放して遊技球の流入を可能とする開状態と、に変換可能とし、リンク部材９０に形成した係止部９９と、扉部材８０に形成した被係止部８７とからなる係止手段５３を備え、該係止手段５３は、閉状態では係止部９９が被係止部８７を係止して開状態への変換を不能とし、閉状態から駆動源によりリンク部材を動作することにより被係止部８７の係止が解除されて開状態への変換が可能となるようにされ、リンク機構９０に被押圧部９１ｃを設けるとともに、入賞装置に被押圧部９１ｃを押圧する押圧手段７７を設け、押圧手段７７は、ベース部材７０に形成された外筒７４と、外筒７４の内側に配され、外筒７４の延在方向に沿って移動可能な内筒７５と、内筒７５に形成され、遊技領域１ａに開口する挿入穴７５ａと、を備え、挿入穴７５ａに挿入部材５２を挿入して操作することにより、内筒７５が被押圧部９１ｃを押圧し、係止手段５３による係止を解除できるようにしている。
【００７９】
したがって、リンク部材に形成した係止部９９と扉部材８０に形成した被係止部８７とからなる係止手段５３は、閉状態では係止部９９が被係止部８７を係止して開状態への変換を不能とするので、扉部材８０に対して、外部から扉部材８０を不正に開く方向へ力が加えられても扉部材８０が開くことがなく、不正行為を防止できる。また、この機能を実現する機構を構成するために、従来の機構から部品点数を増加させる必要がないので、安価に実現可能である。また、押圧手段７７は、入賞装置を遊技盤１に固定するベース部材７０に形成された外筒７４と、外筒７４の内側に配され、外筒７４の延在方向に沿って移動可能な内筒７５と、内筒７５に形成され、遊技領域１ａに開口する挿入穴７５ａと、を備え、挿入穴７５ａに挿入部材５２を挿入して操作することにより、内筒７５が被押圧部９１ｃを押圧し、係止手段５３による係止を解除できるようにしたので、不正に扉部材８０を開放する行為を防止した上でメンテナンスを容易にすることができる。例えば、入賞装置内で球詰まり等が発生し、扉部材８０を開かなければいけない事態が発生した場合に、挿入部材５２を挿入することにより係止を解除して扉部材８０を開くことが可能になるのでメンテナンス性がよくなる。また、遊技領域１ａに開口する挿入穴７５ａから不正にセルなどの部材を挿入して押圧手段７７を操作することは困難であり、不正に扉部材８０を開放する行為が行われることがない。また、被押圧部９１ｃを押圧する内筒７５は外筒７４により延在方向に沿って案内されるようになるので確実に操作を行うことができる。
【００８０】
また、押圧手段７７は、挿入穴７５ａに挿入部材５２を挿入し、回動することにより、内筒７５が被押圧部７１ｃを押圧するようにしている。
【００８１】
したがって、押圧手段７７は、挿入穴７５ａに挿入部材５２を挿入し、回動することにより、内筒７５が被押圧部７１ｃを押圧するようにしたので、より確実に扉部材８０を不正に開放する行為を防止した上でメンテナンスを容易にすることができる。すなわち、遊技領域１ａに開口する挿入穴７５ａから不正にセルなどの部材を挿入して押圧手段７７を操作すること自体困難であるが、さらに回動させるようにしたことで、より確実に不正に扉部材８０を開放する行為を防止できる。
【００８２】
また、押圧手段７７は、挿入穴７５ａに挿入部材５２として所定の鍵を挿入して回動することにより、内筒７５が被押圧部９１ｃを押圧するようにした錠を備えている。
【００８３】
したがって、押圧手段７７は、挿入穴７５ａに挿入部材５２として所定の鍵を挿入して回動することにより、内筒７５が被押圧部９１ｃを押圧するようにした錠を備えるので、より確実に扉部材８０を不正に開放する行為を防止した上でメンテナンスを容易にすることができる。すなわち、遊技領域１ａに開口する挿入穴７５ａから不正にセルなどの部材を挿入しても押圧手段７７を操作できないので、より確実に不正に扉部材８０を開放する行為を防止できる。
【００８４】
また、遊技盤１を保持する前面枠本体１３０と、該前面枠本体１３０の前面に回動可能に取り付けられ、遊技領域１ａを前方から視認可能な状態で覆うクリア部材を備えるクリア部材保持枠１４０と、前面枠本体１３０に対して、クリア部材保持枠１４０が遊技領域１ａを覆った状態で回動不能となるように施錠する枠施錠装置１４３と、を備え、鍵は、枠施錠装置１４３を開錠する鍵である。
【００８５】
鍵は枠施錠装置１４３を開錠する鍵であるので、遊技領域１ａの前面を覆うクリア部材保持枠１４０を開放できる鍵を持つ者（店員）のみが扉部材８０を開放できることとなり、確実に扉部材８０を不正に開放する行為を防止した上でメンテナンスを容易にすることができる。
【００８６】
また、押圧手段７７は、挿入穴７５ａに挿入部材５２を挿入して押圧することにより、内筒７５が被押圧部９１ｃを押圧するようにしている。
【００８７】
したがって、押圧手段７７は挿入穴７５ａに挿入部材５２を挿入して押圧することにより、内筒７５が被押圧部９１ｃを押圧するようにしたので、不正に扉部材８０を開放する行為を防止した上でメンテナンスを容易にすることができる。また操作が押圧だけで済むので、操作が容易である。
【００８８】
なお、本発明の遊技機１００は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【００８９】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９０】
【図１】本発明を適用した一実施の形態の構成を示す遊技機の正面図である。
【図２】特別変動入賞装置の前面側から見た斜視図である。
【図３】特別変動入賞装置の前面側から見た分解斜視図である。
【図４】扉部材、リンク機構、大入賞口開閉ＳＯＬの動作を説明するための側面図であって、閉状態を示す図である。
【図５】扉部材、リンク機構、大入賞口開閉ＳＯＬの動作を説明するための側面図である。
【図６】扉部材、リンク機構、大入賞口開閉ＳＯＬの動作を説明するための側面図である。
【図７】扉部材、リンク機構、大入賞口開閉ＳＯＬの動作を説明するための側面図である。
【図８】扉部材、リンク機構、大入賞口開閉ＳＯＬの動作を説明するための側面図であって、開状態を示す図である。
【図９】押圧手段、扉部材、リンク機構、大入賞口開閉ＳＯＬの動作を説明するための側面図であって、押圧手段が初期位置にある状態を示す図である。
【図１０】押圧手段、扉部材、リンク機構、大入賞口開閉ＳＯＬの動作を説明するための側面図であって、押圧手段を押し込んだ状態を示す図である。
【図１１】押圧手段、扉部材、リンク機構、大入賞口開閉ＳＯＬの動作を説明するための側面図であって、押圧手段が押圧位置にある状態を示す図である。
【図１２】内筒の後方から見た斜視図である。
【図１３】変形例にかかる内筒の後方から見た斜視図である。
【符号の説明】
【００９１】
１      遊技盤
１ａ    遊技領域
５０    特別変動入賞装置（入賞装置）
５１    大入賞口開閉ＳＯＬ（駆動源）
５２    挿入部材
５３    係止手段
６１    大入賞口（入賞口）
７０    ベース部材
７４    外筒
７５    内筒
７５ａ  挿入穴
７７    押圧手段
８０    扉部材
８２    第一回動軸
８７    被係止部
９０    リンク機構
９１ｃ  被押圧部
９２    第二リンク部材（リンク部材）
９３    第二回動軸
９９    係止部
１００  遊技機
１３０  前面枠本体
１４０  クリア部材保持枠
１４３  枠施錠装置
【図１】
0004906751.tif 000002
【図２】
0004906751.tif 000003
【図３】
0004906751.tif 000004
【図４】
0004906751.tif 000005
【図５】
0004906751.tif 000006
【図６】
0004906751.tif 000007
【図７】
0004906751.tif 000008
【図８】
0004906751.tif 000009
【図９】
0004906751.tif 000010
【図１０】
0004906751.tif 000011
【図１１】
0004906751.tif 000012
【図１２】
0004906751.tif 000013
【図１３】
0004906751.tif 000014